(57)【要約】      （修正有）【課題】呼気がこもらず、飛沫噴出を防ぐマスクの構造を提供する。  【解決手段】フレーム１０、遮蔽シート２０及び二つのつる部３０で構成し、該遮蔽シート２０をフレーム１０の上縁に組み立て、該二つのつる部はフレームの両端に組み立てる。アゴ当てシート１４およびあて部１３をあごにあてがい、つる部の耳掛け部をユーザーの耳に掛けて使用することにより、遮蔽シートはユーザーの口の前を遮る。【選択図】図１
0003159668.tif 000002
【実用新案登録請求の範囲】
【請求項１】
フレーム、遮蔽シート及び二つのつる部からなり、
該フレームの上縁に複数の挿入溝を設けると共に、両端にそれぞれ一つづつの掛合溝を設け、フレームの中央部分に顔の顎前面に向けて突出して形成する当て部を設けると共に該当て部の下縁より下向きに顎下側にあてがうアゴ当てシートを延長して設け、
該遮蔽シートの下縁より下向きに前記フレームの上縁に設けた挿入溝と対応する複数の挿入部を設けて、該挿入部を挿入溝に差込み、該遮蔽シートをフレームの上縁に組み立て、
つる部の先端に掛合部を設けて、フレーム両端に設けた掛合溝と相互に接続して組み立て、つる部の後端に人体の耳の輪郭に沿う形状の耳掛部を設けて、
つる部の耳掛部をユーザーの耳に掛け、アゴ当てシートをアゴに当てて遮蔽シートがユーザーの口の前を覆い、当て部の厚みによって遮蔽シートとユーザーの口の間に間隔を保つようにしたことを特徴とする飛沫噴出を防ぐマスクの構造。
【請求項２】
前記フレームの両端にそれぞれ複数の定位凸部を設け、前記つる部の先端にこれに対応する複数の定位凹部を設けて、それによりつる部の先端に設けた掛合部がフレームの両端にある掛合溝に嵌合して接続して組み立てるとともに、該定位凸部と定位凹部が相互に嵌合することによって、つる部はよりしっかりとフレームと組み立てられ、つる部を該掛合溝に沿ってスライドすることによりその長さを調整可能としたことを特徴とする請求項１記載の飛沫噴出を防ぐマスクの構造。
【請求項３】
前記フレームの両端にそれぞれ一つづつの穴を設け、該穴に一つの耳掛けバンドを通して取り付けたことを特徴とする請求項１記載の飛沫噴出を防ぐマスクの構造。
【請求項４】
前記遮蔽シートの内側に一枚の吸水紙を貼って、ユーザーの飛ばす飛沫を吸収するようにしたことを特徴とする請求項１記載の飛沫噴出を防ぐマスクの構造。
【考案の詳細な説明】
【技術分野】
【０００１】
本考案は、つばの飛沫が噴出するのを防ぐマスクの構造に関し、特にユーザーのつばが飛ぶのを防ぐことができると共に、声がこもらないほか、表情が見えて、呼吸がスムーズにできる上、息を吐き出す際に眼鏡が曇らないなど、ユーザーの視力と美観を損なわないマスクの構造に関する。
【背景技術】
【０００２】
従来技術のマスクは、主に綿の生地やガーゼ或いは不織布を材料として作られるマスク本体と、本体両サイドに耳に掛けられるゴム紐で構成する。使用する際には二つのゴム紐を耳にかけ、マスク本体をしっかりとユーザーの口、鼻を覆うように着用することで、ユーザーのつばの飛沫が噴出するのを防止することができる。
【０００３】
前記従来技術のマスクは、衛生面に問題はないものの、使用上下記の改善すべき欠点を持つ：
(一)     従来技術のマスクは直接しっかりとユーザーの口及び鼻部分を覆うため、ユーザーは呼吸しづらく、暑苦しくなる。
(二)     従来技術のマスクは直接しっかりとユーザーの口及び鼻部分を覆うため、吐き出す息によって、眼鏡が曇り、ユーザーの視力及び美観を損なう。
(三)     従来技術のマスクは直接しっかりとユーザーの口及び鼻部分を覆うため、話す際に声がこもり、コミュニケーションが悪くなる。
【０００４】
従来技術のマスクを着用するのは、つばの飛沫が噴出するのを防ぐためであり、頻繁に人と対話し、フレンドリーな態度を見せる必要のある職業(例えば医療美容関係、飲食関係の仕事に就いている方)に向かないため、飛沫の噴出を防ぎつつ、声がこもらず、表情が見えて且つ呼吸がスムーズにでき、吐き出す息で眼鏡が曇らない、ユーザーの視力と美観を損なわないマスクの構造を案出する必要があった。
【先行技術文献】
【特許文献】
【０００５】
【特許文献１】特開平１１−２９０４７３号公報
【考案の概要】
【考案が解決しようとする課題】
【０００６】
前記従来技術の欠点を解決するため、本考案はユーザーのつばの飛沫が飛ばず、声をクリアにし、且つ表情が見えて、呼吸がスムーズにできる上、吐き出した息で眼鏡が曇らず、ユーザーの視力と美観を損なわないマスクの構造を提供することを主な課題とする。
【課題を解決するための手段】
【０００７】
前記課題を解決するために、本考案の飛沫噴出を防ぐマスクを構成するのはフレーム、遮蔽シート及び二つのつる部である。該フレームの上縁に複数の挿入溝１１を設け、両端にこれに対応してそれぞれ一つづつの掛合溝１２を設ける。フレーム１０の中央部分に顔に向けて突出して形成する当て部１３があり、該当て部１３の下縁より下向きにアゴ当てシート１４を延長して形成する。
【０００８】
遮蔽シート２０の下縁より下向きに複数の挿入部２１を設け、該挿入部２１はフレーム１０の上縁に設ける挿入溝１１と対応する。該挿入部２１を挿入溝１１に差込み、該遮蔽シート２０をフレーム１０の上縁に組み立てる。
【０００９】
つる部３０の先端に掛合部３１を設け、該掛合部３１はフレーム１０両端に設ける掛合溝１２と相互に接続して組み立てる。つる部３０の後端に耳掛部３２を形成する。
【００１０】
上述の構造では、つる部３０の耳掛部３２をユーザーの耳に掛け、アゴ当てシート１４をアゴに当てることで、遮蔽シート２０がユーザーの口の前を覆う。当て部１３の厚みにより、遮蔽シート２０とユーザーの口の間に適切な距離を保って接触しない。該遮蔽シート２０はユーザーの口の前を遮るため、ユーザーの飛沫の噴出を遮断するが、声がこもらず、表情も見えて、呼吸がスムーズにでき、吐き出す息で眼鏡が曇らず、ユーザーの視力と美観を損なわない、飛沫噴出を防ぐマスクの構造である。
【考案の効果】
【００１１】
本考案はフレームと遮蔽シート、二つのつる部の設置により、声がこもらず、表情が見えると共に、呼吸がスムーズにでき、吐き出す息で眼鏡が曇らず、ユーザーの視力及び美観を損なわないマスクの構造である。また、ユーザーが使用する際、本考案はつる部或いは耳掛けバンドを選択することができる。
【図面の簡単な説明】
【００１２】
【図１】本考案における分解立体図である。
【図２】本考案における組立立体図(一)である。
【図３】本考案における組立立体図(二)である。
【図４】本考案における側視図及び、長さ調整可能のつる部の略図である。
【図５】図４のI−Iの断面図である。
【図６】本考案における側視図及び、着用したユーザーの顔面の略図である。
【図７】本考案の第二実施例の組立立体図である。
【図８】本考案の第二実施例の側視図である。
【図９】図８のII−IIの断面図である。
【図１０】本考案第二実施例の側視図及び、着用したユーザーの顔面の略図である。
【図１１】本考案の部分断面図及び、遮蔽シート内部に貼る吸水紙の略図である。
【考案を実施するための形態】
【００１３】
〔実施例〕
本考案による飛沫噴出を防ぐマスクの構造を明確に示すために図に沿って詳細な説明を行う。図１から図６に示すのは第一実施例であり、図７から図１０に示すのは第二実施例であり、図１１に示すのは第三実施例である。
【００１４】
図１に示すのは、飛沫噴出を防ぐマスクである。それはフレーム１０、遮蔽シート２０と二つのつる部３０からなる。
【００１５】
図２、図３、図４に示すように、プラスティック材質からなるフレーム１０は、人体の顔のカーブに沿って形成する一体成型のものである。フレーム１０の上縁に後述する遮蔽シート２０の取り付け用の挿入溝１１を設け、両端にそれぞれ一つづつの掛合溝１２を設ける。フレーム１０の中央部分に顔に向けて突出して形成した当て部１３があり、該当て部１３の下縁より下向きにアゴ当てシート１４を延長して設ける。
【００１６】
図２、図３に示すように、遮蔽シート２０の下縁より下向きにフレーム１０の上縁に設けた前記挿入溝１１と対応する挿入部２１を設ける。該挿入部２１を挿入溝１１に差込み、該遮蔽シート２０をフレーム１０の上縁に組み立てる。
【００１７】
図２、図３、図４、図５に示すように、つる部３０の先端にフレームと結合するための掛合部３１を設け、該掛合部３１はフレーム１０両端に設けた掛合溝１２と相互に接続して組み立てる。つる部３０の後端は人体の耳の輪郭に沿う形状の耳掛部３２である。
【００１８】
最良実施例は図１、図５に示すように、フレーム１０の両端にそれぞれ複数の定位凸部１５を設け、該つる部３０の先端に定位凹部３３を設ける。該つる部３０の先端にある掛合部３１がフレーム１０の両端にある掛合溝１２と接続して組み立てる際、定位凸部１５と定位凹部３３は相互に嵌合するため、つる部３０はよりしっかりとフレーム１０と組み立てることになる。更に図４に示すように、つる部３０は該溝１２に沿ってスライドしてその長さを調整することができる。
【００１９】
図６に示すように、上述の構造では、つる部３０の耳掛部３２をユーザーの耳に掛け、アゴ当てシート１４をアゴに当て、遮蔽シート２０でユーザーの口の前を覆う。当て部１３の厚みにより、遮蔽シート２０とユーザーの口の間に適切な距離を保って接触しない。本考案の構造により、遮蔽シート２０はユーザーの口の前を遮るため、ユーザーの飛沫の噴出を遮断するが、声がこもらず、表情も見えて、呼吸がスムーズにでき、吐き出す息で眼鏡が曇らず、ユーザーの視力と美観を損なわないマスクの構造である。
【００２０】
図７、図８、図９に示すのは第二実施例である。該フレーム１０の両端にそれぞれ一つづつの穴１６を設け、該穴１６に一つの耳掛けバンド４０を通す。図１０に示すように、該耳掛けバンド４０をユーザーの耳に掛けて使用する。
【００２１】
図１１に示すように、最良実施例は、該遮蔽シート２０の内側に一枚の吸水紙５０を貼り、ユーザーの噴出した飛沫を吸収する。
【００２２】
上述の内容及び図に示す実施例で分かるように、本考案は従来技術のマスクの欠点を改善することができる。声がこもらず、表情が見えると共に、呼吸がスムーズにでき、吐き出す息で眼鏡が曇らず、ユーザーの視力及び美観を損なわないマスクの構造である。また、ユーザーが使用する際、本考案はつる部或いは耳掛けバンドを選択することができ、便利に使用することができる。
【００２３】
以上の実施例による本考案の詳細な説明は本考案の目的及び技術手段と構造を説明するものであり、範囲を制限するものではない。本技術に熟知する者が、本考案の範囲内にて行う変更や調整を行っても、本考案の重要な意義は失われず、本考案の範囲に含まれる。
【符号の説明】
【００２４】
１０  フレーム
１１  挿入溝
１２  掛合溝
１３  当て部
１４  アゴ当てシート
１５  定位凸部
１６  穴
２０  遮蔽シート
２１  挿入部
３０  つる部
３１  掛合部
３２  耳掛け部
３３  定位凹部
４０  耳掛けバンド
５０  吸水紙
【図３】
0003159668.tif 000003
【図１】
0003159668.tif 000004
【図２】
0003159668.tif 000005
【図４】
0003159668.tif 000006
【図５】
0003159668.tif 000007
【図６】
0003159668.tif 000008
【図７】
0003159668.tif 000009
【図８】
0003159668.tif 000010
【図９】
0003159668.tif 000011
【図１０】
0003159668.tif 000012
【図１１】
0003159668.tif 000013